(57)【要約】  【課題】  電子又は電気機器の筐体から排気される風量の増大を図ることにある。また、電子又は電気機器の筐体から排気される排気流の低騒音化を図ることにある。  【解決手段】  電子又は電気機器に使用される筐体２において、隣接して配置されるファンモータ１０によって筐体内外に空気が流通する開口部２ａを有し、かつその開口部２ａにはそのファンモータ１０に対して指や異物等の侵入を阻止するフィンガーガード５を有する筐体２であって、そのフィンガーガード部５は、左右方向に直線状にのびる第１リブ群５１と、上下方向に直線状にのびる第２リブ群５２とを有し、各リブ５１、５２は、ファンモータ１０から排気される空気の流通方向に沿って開口部２ａの内側又は外側に面する傾斜面５ｃとを有する。【選択図】  図４
2004183649.tif 000002
【特許請求の範囲】
【請求項１】
マグネットを有するロータと、該ロータに固着されたインペラ翼と、前記ロータマグネットに対向する位置に固定されたステータと、該ステータを固定保持し且つ該ファンモータの外枠を形成するフレームとを有する冷却用ファンモータにおいて、
前記フレームの外面を覆い且つ前記フレームに固定されたガード板を有し、
該ガード板には、少なくとも２つの方向に延びるリブにより網目格子が形成され、該リブの交差部分は相互に固着され、且つ該リブはリブが延びる方向に垂直な断面の形状について少なくとも一つの傾斜辺を有し、該傾斜辺はファンモータのインペラ翼の回転により該リブの位置に生じる気流の方向にほぼ平行あるいはこれに沿った方向に傾斜しているガード板を有することを特徴とするファンモータ。
【請求項２】
請求項１に記載したファンモータのガード板において、
少なくとも２つの方向に延びる前記リブにより形成される前記網目格子は、少なくとも人間の指が入らない大きさであることを特徴とするファンモータ。
【請求項３】
請求項１または２の何れかに記載したファンモータのガード板において、
前記ガード板は、相互にほぼ直交する2つの方向に延びるリブ群により形成されていることを特徴とするファンモータ。
【請求項４】
請求項１乃至３の何れかに記載したファンモータのガード板において、
前記ガード板は、ファンモータの回転軸に対してほぼ同心円状の複数のリブ群と、これらにほぼ直交する前記回転軸を中心として放射状に延びる複数のリブにより形成されていることを特徴とするファンモータ。
【請求項５】
請求項１乃至４の何れかに記載したファンモータのガード板において、
前記リブの前記断面の形状は直角三角形であり、その斜辺がファンモータの回転により生じる気流の方向にほぼ平行あるいはこれに沿った方向に傾斜していることを特徴とするファンモータ。
【請求項６】
請求項１乃至５の何れかに記載したファンモータのガード板において、
前記リブの前記断面の形状は長方形であり、該長方形の２つの長辺が共にファンモータの回転により生じる気流の方向にほぼ平行あるいはこれに沿った方向に傾斜していることを特徴とするファンモータ。
【請求項７】
マグネットを有するロータと、該ロータに固着されたインペラ翼と、前記ロータマグネットに対向する位置に固定されたステータと、該ステータを固定保持し且つ該ファンモータの外枠を形成するフレームとを有する冷却用ファンモータを内蔵する電子または電気機器、の筐体において、
前記冷却用ファンモータの外面を覆い且つ前記筐体に固定されたガード板を有し、
該ガード板には、少なくとも２つの方向に延びるリブにより網目格子が形成され、該リブの交差部分は相互に固着され、且つ該リブはリブが延びる方向に垂直な断面の形状について少なくとも一つの傾斜辺を有し、該傾斜辺はファンモータのインペラ翼の回転により該リブの位置に生じる気流の方向にほぼ平行あるいはこれに沿った方向に傾斜しているガード板を有することを特徴とする筐体。
【請求項８】
請求項７に記載の、前記筐体に設けられたファンモータ用の前記ガード板において、
少なくとも２つの方向に延びる前記リブにより形成される前記網目格子は、少なくとも人間の指が入らない大きさであるガード板を有することを特徴とする筐体。
【請求項９】
請求項７または８に記載の、前記筐体に設けられたファンモータ用の前記ガード板において、
前記ガード板は、相互にほぼ直交する２つの方向に延びるリブ群により形成されているガード板を有することを特徴とする筐体。
【請求項１０】
請求項７乃至９の何れかに記載の、前記筐体に設けられたファンモータ用の前記ガード板において、
前記ガード板は、ファンモータの回転軸に対してほぼ同心円状の複数のリブ群と、これらにほぼ直交する前記回転軸を中心として放射状に延びる複数のリブにより形成されているガード板を有することを特徴とする筐体。
【請求項１１】
請求項７乃至１０の何れかに記載の、前記筐体に設けられたファンモータ用の前記ガード板において、
前記リブの前記断面の形状は直角三角形であり、その斜辺がファンモータの回転により生じる気流の方向にほぼ平行あるいはこれに沿った方向に傾斜しているガード板を有することを特徴とする筐体。
【請求項１２】
請求項７乃至１１の何れかに記載の、前記筐体に設けられたファンモータ用の前記ガード板において、
前記リブの前記断面の形状は長方形であり、該長方形の２つの長辺が共にファンモータの回転により生じる気流の方向にほぼ平行あるいはこれに沿った方向に傾斜しているガード板を有することを特徴とする筐体。
【請求項１３】
請求項７乃至１２の何れかに記載の前記筐体内の所定位置に、冷却用ファンモータが設置されたことを特徴とする電子または電気機器。
【発明の詳細な説明】
【技術分野】
【０００１】
本発明は、パソコン、コンピュータゲーム機、プリンタ等の筐体内に冷却用ファンを搭載している電子又は電気機器、これに使用される筐体、及びこれらに使用されるファンに関する。
【背景技術】
【０００２】
パソコン、コンピュータゲーム機、プリンタ等の電子又は電気機器は、筐体内に種々の機構部品が収容されている。それら機構部品から発生する熱によって筐体内が高温になるため、冷却用ファンが筐体内に設置されるている。このファンは、通常筐体側壁面に設けられた開口（排気口）の近傍に設置される。この開口を通じて筐体の内部の空気を外部に排出するようにして、筐体内を冷却する。
【０００３】
この開口には、一般的に、指や異物などが筐体内部に侵入して、ファンが停止したり、人体に損傷を加えないように、いわゆるフィンガーガードと呼ばれる網目状のガードが設けられている。このフィンガーガードは、例えば、図１３（Ａ）に示す通り、環状リブと放射状リブとを合わせたもの（特許文献１の図９参照）や、図１３（Ｂ）に示す通り、複数のリブを格子状に配したもの（特許文献２の図５や特許文献３の図１参照）がある。
【発明の開示】
【発明が解決しようとする課題】
【０００４】
しかし、冷却ファンの排気口であるこの開口に、網目状のフィンガーガードがあると、排気流がこのフィンガーガードに衝突して、円滑に排気されない課題があった。また、排気流がフィンガーガードに衝突して、大きな騒音を発生するという課題もあった。
【０００５】
これに対しこれまで知られているフィンガーガードは、網を形成するリブの角部を曲面にすることによって空気抵抗を小さくしたものが知られている（特許文献２の図２、特許文献３の図３参照）。しかしこれらはリブの表面を曲面にしただけであり、しかも曲面は通過する空気流の方向を十分に考慮したものではなく上記課題は改善されていなかった。
【０００６】
近年、電子又は電気機器の高性能化や小型化等に伴って、より一層の冷却性能や静粛性が求められている。しかしこれまでのフィンガーガードは、そのような要求を十分満足することができなかった。
【０００７】
【特許文献１】特開２０００−２５７５９７号公報
【特許文献２】特開平５−２７４０６２号公報
【特許文献３】特開平１１−３５４９６４号公報
【０００８】
本発明の目的は、フィンガーガード付き開口から高効率且つ低騒音に吸排気されるファンモータ付き電子又は電気機器用の筐体を提供する。また本発明の他の目的は、高効率且つ低騒音に吸排気するフィンガーガード付きファンモータを提供する。
【課題を解決するための手段】
【０００９】
本発明は、冷却用ファンの流路に設けられたフィンガーガードのリブの断面形状に特徴がある。この発明に係る一つのフィンガーガードは、左右方向に直線状にのびる複数の第１のリブと、上下方向に直線状にのびる複数の第２のリブとを備えている。そして第１及び第２のリブは、ファンモータから螺旋状に回転しながら吸排出される空気の流れ方向にほぼ平行なまたはその方向に沿った傾斜面を備えている。また本発明に関する他のフィンガーガードの格子状あるいは網目状に形成されたリブは、ファンモータから螺旋状に回転しながら吸排出される空気の流れに対してほぼ平行なまたはその方向に沿った、少なくとも一つの傾斜面を有する。
【００１０】
本発明は、このようなフィンガーガードを、ファンモータ設置場所近傍の開口部に設けた電子機器筐体に適用される。また本発明は、このようなフィンガーガードを、ファンモータ自体の外枠部に設けることで、実現される。その際このフィンガーガードは、電子機器筐体またはファンモータ外枠に一体的に形成されていてもよい。またそのフィンガーガードに支持部材を設けて電子機器筐体やファンモータ外枠に取り付けたり、ファン専用の取付部材を介して取り付けることもできる。
【発明の効果】
【００１１】
本発明のファンモータ、電子または電気機器の筐体、及び電子または電気機器は、上記フィンガーガードを備えることにより、リブに当たる吸排気流の流れを妨げず、乱気流発生を防止する。その結果冷却効率を向上させ、且つ騒音の発生も抑える。
【発明を実施するための最良の形態】
【００１２】
―第１実施形態―
この発明の第１の実施形態について図１〜４を用いて説明する。図１は、電子又は電気機器の内部構造を模式的に示す平面図である。図２は、その機器に搭載されたファンモータを示す要部断面図である。図３は、図４の線Ｙ−Ｙで切断したときの要部断面図である。図４は、図１の電子又は電気機器筐体の開口部を内側から外側に向かって見たときの要部平面図である。
【００１３】
電子又は電気機器
図１に示す第１実施形態の電子又は電気機器１は、例えばデスクトップ型パソコンの本体であり、冷却用のファンモータ１０が筐体２内に設置されている。ファンモータ１０は、筐体側壁面に設けられた開口部２ａの内側の近傍に設置され、この開口部２ａを介して内部の空気を外部に排気して筐体２内を冷却する。開口部２ａには、図２に示すフィンガーガード５（ガード板に相当）が一体に形成されている。この開口部２ａを構成する側壁面は、筐体２とは別部材（以下、サブパネル４という）として形成されている。サブパネル４は、合成樹脂製であって、その開口部２ａに形成されたフィンガーガード５に加えて、ファンモータ１０を取り囲む筒部６が一体に形成されている。本形態では、サブパネル４がファンモータ１０の外枠を形成するフレームに相当する。フィンガーガード５はサブパネル４に形成されるが、サブパネル４は筐体２の一部を構成するためフィンガーガード５は筐体２に固定されたのと同等である。
【００１４】
フィンガーガードの構成
フィンガーガード５は、図４に示す通り、２つの方向に延びるリブ（第１リブ群５１及び第２リブ群５２）により網目格子が形成されてなる。第１リブ群５１は、開口部２ａにおいて図４の紙面左右の辺をそれぞれほぼ七等分したときに現れる６点を直線で結ぶ位置に設けた６本のリブ５１ａ〜５１ｆにより構成される。第２リブ群５２は、開口部２ａ側において図４の紙面の上下辺をそれぞれほぼ四等分したときに現れる３点を直線で結ぶ位置に設けた３本のリブ５２ａ〜５２ｃにより構成される。以降、第１リブ群５１がのびる方向を左右方向、第２リブ群５２がのびる方向を上下方向ということとする。
【００１５】
両リブ群５１、５２の肉厚は、サブパネル４とほぼ同じである。両リブ群５１、５２のリブ端部は、開口部２ａの周縁に一体に連結されている。両リブ群５１、５２の途中部分は、互いに直交して一体に連結されている。
【００１６】
各リブ５１ａ〜５１ｆ、５２ａ〜５２ｃ同士、及びこれらリブと開口部２ａの周縁で囲まれる一つの矩形状開口５０は、指先等が入らない程度の大きさである。リブ５１ｂ、リブ５１ｅ、リブ５２ａ及びリブ５２ｃによって囲まれる開口には、これを閉塞する円板部１１が一体に形成されている。この円板部は、後述するモータ支持部１１である。
【００１７】
各リブ５１ａ〜５１ｆ、５２ａ〜５２ｃは、同じ幅で直線状にのびており、その直交断面は直角三角形である。詳細を、リブ５２ａ〜５２ｃを例に図３を用いて説明する。本実施形態では、それら直角三角形の底辺に対応する底辺面５ａは、全て筐体２の２ａ外側面と面一である。一方、直角三角形の高さに対応する側面５ｂは、ファンモータ１０の回転軸１６と平行で、ファンモータ１０の回転により生じる空気流に対して上流側に位置する。さらに、それら直角三角形の斜辺に対応する傾斜面５ｃは、インペラ１７から排出される空気流の方向（矢印Ｆ２）とほぼ平行またはその方向に沿う方向である。フィンガーガードのリブ断面について、少なくとも一つの面を、ファンモータ１０から排出される空気流に対してほぼ平行にまたはその方向に沿った傾斜面にすることにより、乱気流を防止し、高効率の冷却性能と低騒音を実現している。
【００１８】
次に、リブ５２ａ〜５２ｃの他の部位、及び各リブ５１ａ〜５１ｆについて説明する。第１リブ群５１では、開口部２ａの中心を上下方向に通る直線（リブ５２ｂ）によってリブ５１ａ〜５１ｆを二分したとき、リブ５２ｂの左側に位置する第１リブ群５１の傾斜面５ｃが、図４の下側を向く。また、同様に、リブ５２ｂの右側に位置する第１リブ群５１の傾斜面５ｃが、図４の上側を向く。リブの傾斜面を、ファンモータから螺旋状に回転しながら排出される空気流に対してほぼ平行にまたはその方向に沿わせることで、乱気流を防止している。これによりフィンガーガード５を通過する空気の流れをスムーズにし、リブに気流が当たることによるロスを最小限にするとともに、騒音を少なくしている。
【００１９】
同様に、第２リブ群５２では、開口部２ａの中心を左右方向に通る直線Ｌによってリブ５２ａ〜５２ｃを二分したとき、その直線Ｌの上側に位置する第２リブ群５２の傾斜面５ｃは左側を向く。また、同様に、直線Ｌの下側に位置する第２リブ群５２の傾斜面５ｃは右側を向く。なお、直線Ｌ上にあるリブ５２ａ上のリブ５１ｃとリブ５１ｄに挟まれたリブ辺、およびリブ５２ｃ上のリブ５１ｃとリブ５１ｄに挟まれたリブ辺は、それぞれの傾斜面がファンモータから螺旋状に回転しながら排出される空気流に対してほぼ平行にまたはその方向に沿う方向に、その傾斜面が設定される。
【００２０】
ファンモータの構成
ファンモータ１０は、図２に示すように、モータにインペラ１７を備える。ファンモータ１０は、前述のモータ支持部１１に軸受手段１２、電機子１４、回路基板１５が備えられている。軸受手段１２は、インペラ１７に連結された回転軸１６を回転自在に支持する。インペラ１７は、カップ状の本体の外周面に複数のブレードが形成され、その本体の内周面にヨーク１８を介してマグネット１９が備えられている。電機子１４に電流が流れると、電機子１４とマグネット１９との磁気作用によってマグネット１９に回転力が発生し、インペラ１７が回転する。これにより上記複数のブレードが回転し、矢印Ｆ１の方向の気流を生じさせる。
【００２１】
本発明を実施した電子又は電気機器の特徴
次に、電子又は電気機器１の特徴について説明する。
【００２２】
第一の特徴として、フィンガーガード５によって、開口部２ａの内側に取り付けられたファンモータ１０に開口部２ａの外側から指や異物（例えば、コイン）等が侵入して、ファンモータ１０に対する不具合を防ぐことができる。
【００２３】
第二の特徴として、第１及び第２リブ群５１、５２には上記の通り傾斜面５ｃが形成されていることから、ファンモータ１０から排出される空気がフィンガーガード５を円滑に通る。したがって、電子又は電気機器１は、筐体２の内部がファンモータ１０によって効率良く冷却される。
【００２４】
この理由をより具体的に図３を用いて説明する。インペラ１７から排出される空気は、巨視的にはモータの軸線方向にそって流れる。ところが、１枚のブレードから排出される空気流の方向は、インペラ１７の回転方向成分と軸線方向成分とを合算した、軸線方向から傾いた方向、即ち軸線に対して螺旋状をなす方向である（図３の矢印Ｆ２）。
【００２５】
このとき、図３に示すリブ５２ａ〜５２ｃを例にとると、ブレードから排出された空気の方向（矢印Ｆ２）と傾斜面５ｃの面方向とがほぼ平行な位置関係にあることから、ブレードから排出された空気は、傾斜面５ｃに沿って開口５０を通過する。この場合排気流は、開口５０の矢印Ｆ２に直交する間隙面ｓ１を通る。
【００２６】
これに対して、リブ５２ａ〜５２ｃに図３の仮想線で示す部分を加えた断面が矩形となる従来のリブ５５であると、ブレードから排出された空気は符号ｓ２で示される斜め開口間隙面ｓ２を通過する。この間隙面ｓ２は狭い為、排気流の多くがリブ５５に衝突して乱流が発生することになる。
【００２７】
これらリブ５２ａ〜５２ｃと傾斜面のない従来リブ５５とを比較すると、両者とも開口５０を正面視したときの開口面積は符号ｓ３で示されるように同じ大きさである。ところが、矢印Ｆ２のような特定の方向から斜視したときの開口面積は、符号ｓ１、ｓ２で示されるように相違する（ｓ１＞ｓ２）。開口５０を通る空気は、その流れ方向に向かう面の開口面積が大きい方が、空気抵抗が少ない。したがって、リブ５２ａ〜５２ｃによって形成される開口５０には、空気がリブに衝突する量が少なく空気が円滑に流れる。また、リブに空気が衝突したときに発生する乱流も減り、騒音が低下する。
【００２８】
そして第三の特徴は、フィンガーガード５は、両リブ群５１、５２が格子状に交差するため、剛性が高い。
【００２９】
更に第四の特徴は、フィンガーガード５は、格子状であるため、各開口５０の大きさを調節しやすい。つまり、各リブ間の距離により、各開口５０の大きさが変るため、フィンガーガード５の保護効果を設定しやすい。
【００３０】
そして第五の特徴は、フィンガーガード５を構成するサブパネル４は、ファンモータ１０の支持部材としての機能と、筐体２の構成部材としての機能とを兼ね備える。筐体２とファンモータ１０との部品の共通化と組立の簡略化が図られている。
【００３１】
本実施形態のフィンガーガード５の変形例の一つは、図５（Ａ）に示すようにリブの傾斜面５ｃが開口部２ａの外側に面し、側面５ｂがファンモータ１０の回転により生じる気流の下流側に位置する構成を有する。また別の変形例としては、図５（Ｂ）に示すようにリブ断面を長方形とし、その長辺に対応する面がファンモータから螺旋状に回転しながら排出される空気流に対してほぼ平行またはこれに沿った方向に傾斜し、一つのリブに二つの傾斜面５ｃを備える構成である。
【００３２】
なお、以上の構成はファンモータが筐体内部から外側への排気流を生じさせる場合を例に説明した。しかしファンモータが吸気流、即ち外部から筐体内部に向かう気流を生じさせた場合は、リブの傾斜面は変わる。この場合も、ファンモータが生じさせる螺旋状に回転しながら排出される空気流に対してほぼ平行になる方向に傾斜させる点は、同一である。
【００３３】
―第２実施形態―
第１実施形態では、ファンモータ１０を取り囲む筒部６がサブパネル４に一体に形成されていたが、第２の実施形態では、図６に示す通りその筒部６をサブパネル４とは別部材（以下、筒部材６１という）で形成するところが相違する。筒部材６１は、図６に示す通り、上記筒部６と類似するが、開口部２ａ側の内周端部が開口部２ａ側に拡径するような傾斜面４１ａを備えている。筒部材６１は、サブパネル４にネジ止めされている。このような傾斜面４１ａを設けることにより、ファンモータ１０から開口部２ａに向かう空気が円滑に流れるため、送風特性が一層高まる。
【００３４】
この傾斜面４１ａは、本実施形態のように筒部材６１としてサブパネル４と別部材にして構成することで、第１実施形態に比べて容易に形成することができる
―第３実施形態―
第１、２実施形態では、何れもファンモータ１０は、フィンガーガード５にあるモータ支持部１１に支持された構成であるが、第３実施形態では、ファンモータ１０の支持する構成が相違する。即ち、第３実施形態のファンモータ１０は、図７に示す通り、公知であるハウジング７０（フレームに相当）に支持されている。ハウジング７０は、円筒部の内部に放射状にのびるリブ８３によってモータ支持部７２を構成している。筐体２の側壁部には、図８に示すように、第１、２実施形態と同様のフィンガーガード７５を備えた開口部２ａがある。つまり、ファンモータ１０の外面はフィンガーガード７５によって覆われている。図８のフィンガーガード７５のモータ支持部を除くリブの構成は第１、２実施形態と同じである（図８の中央の円は銘板を貼るためのみの部位である）。
【００３５】
―比較実験について―
上記にて第１〜３実施形態の作用効果について説明したが、これに対応する発明者が行った実験結果について以下に説明する。
【００３６】
その実験では、第１〜３実施形態の電子又は電気機器と、通常の電子又は電気機器（比較例）とを用意し、筐体から排出される風量および騒音を測定した。通常の電子又は電気機器とは、第３実施形態のフィンガーガード７５のリブ断面が矩形である以外は同じ構成の電子又は電気機器である。ファンモータの回転数、筐体や開口部２ａの大きさなどの実験条件は同じとした。
【００３７】
以上の４形態に対応した風量および騒音の測定データを図９に示す。図９より、第１〜３実施形態の何れともが比較例に対して、風量及び騒音とも良好となっていることが明らかである。これにより、発明者はフィンガーガード５、７５の効果を確信した。第１〜３実施形態において、第１、２実施形態ではファンモータ１０から排出された空気がフィンガーガード５のみを通るが、第３実施形態ではフィンガーガード７５とリブ８３の二箇所を通る。したがって、発明者は、第３実施形態が第１、２実施形態よりも劣る理由は、第３実施形態では、リブ８３によって空気抵抗が大きくなったこと、リブ８３とフィンガーガード７５と間の隙間に空気が巻き込まれたこと、に関係すると考えた。さらに、発明者は、第２実施形態が第１実施形態よりも良好である理由は、第２実施形態の筒部材６１における傾斜面６１ａの効果が関係すると考えた。
【００３８】
―第４の実施形態―
第４の実施形態は、図１０に示す通り、ファンモータ１０が専用のハウジング８０（フレームに相当）によって支持されている。ハウジング８０は、フィンガーガード８２を有し、第１実施形態のサブパネル４とほぼ同様の構成で、筐体２に接合される筒部６の外周のフランジ部分を削除したような構成で、フィンガーガード８２の中央にあるモータ支持部１１にファンモータ１０が支持されている。このファンモータ１０は、ファン自体にフィンガーガードを必要とする各種の電子又は電気機器に取り付けることができる。しかも、このファンフィンガーガード８２は、第１実施形態と同じであるため、風量や騒音の特性が良好である。
【００３９】
―第５の実施形態―
第５の実施形態では、図１１に示すように、このフィンガーガード９１がファンモータの回転軸に対してほぼ同心円状のリブ群と、これらに直交するその回転軸を中心として放射状に延びるリブ群とにより網目格子を形成する。ここでは、第３実施形態のように筐体のフィンガーガードとは別にファンモータが支持される形態を例示する。図１１は、その筐体の一部を示すもので、筐体の内側から外側を見た正面図である。
【００４０】
即ち、図１１に示す通り、本実施形態の筐体は、その一部を構成するパネル９に開口部９ａを有し、ここにフィンガーガード９１が一体に設けられている。フィンガーガード９１は、開口部９ａの中心と同心となる位置に円環状で互いに等間隔に設けた４条のリブ９２ａ〜９２ｄから構成される第１リブ群９２と、リブ９２ａと開口部９ａの周縁を直線で結ぶ位置に周方向等間隔に設けた６本のリブ９３ａ〜９３ｆから構成される第２リブ群９３と、リブ９２ｂと開口部９ａの周縁を直線で結び第２リブ群９３のリブ間の中間点毎を結ぶ位置に周方向等間隔に設けた６本のリブ９４ａ〜９４ｆから構成される第３リブ群９４と、さらにリブ９２ｄと開口部９ａの周縁を直線で結び第２リブ群９３と第３リブ群９４との中間点毎を結ぶ位置に周方向等間隔に設けた１２本のリブ９５ａ〜９５ｌから構成される第４リブ群９５とからなる。第１〜４リブ群９２、９３、９４、９５は、開口部９ａの周縁またはリブ同士でそれぞれ一体に交差および連結されている。
【００４１】
第１〜４リブ群９２、９３、９４、９５は上記実施形態のリブと同様に断面が直角三角形である。特に第１リブ群９２は、開口部９ａの内側から外側に向けて拡径する面（上記傾斜面５ｃに相当）と、内径側の高さ面と、開口部９ａの外側に底辺面とを有する。
【００４２】
第２〜４リブ群９３、９４、９５では、傾斜面が図１１において開口部９ａの中心の周りに反時計回りの方向に向いて形成され、高さ面はその傾斜面の反対側に形成され、底辺面は開口部９ａの外側に形成されている。
【００４３】
本実施形態においても、本来のフィンガーガードの保護機能に加えて、フィンガーガード９１のリブ断面は少なくとも一つの面を、ファンモータから排出される空気流に対してほぼ平行にまたはその方向に沿った傾斜面にすることにより、乱気流を防止し、高効率の冷却性能と低騒音を実現している。
【００４４】
また、フィンガーガード９１が、開口部９ａの中心を基点とした回転対称形状となっていることから、それ自体の剛性が高いこと、通過する空気の流通性が一層良好である。
【００４５】
さらに、各リブ同士、及びこれらリブと開口部９ａの周縁で囲まれる開口は、リブ９２ａとリブ９２ｂとの間に６個、リブ９２ｂとリブ９２ｃとの間及びリブ９２ｃとリブ９２ｄとの間にそれぞれ１２個、リブ９２ｄと開口部９ａの周縁との間に２４個が形成されている。つまり、各開口は径方向幅が同じで内径側の開口の数が外形側の開口の数よりも少ない。これにより、フィンガーガード９１全域の開口面積がほぼ同等になり、空気の流通性と保護機能との兼ね備えた最適な配置を実現している。
【００４６】
なお、第５実施形態では、第２〜４リブ群９３、９４、９５が直線状であるが、図１２に示す通り曲線状であってもよく、空気抵抗を一層低減することができる。また、第５実施形態及びこの変形例は、ともに図７に示す第３実施形態に限らず、図２に示す第１実施形態のようにフィンガーガード９１にモータ支持部や筒部をその周辺に一体に設けた構成や、図６に示す第２実施形態のような筒部を別部材として設ける構成、さらに図１０に示す第４実施形態のような構成にも適用することができる。
【００４７】
以上、本発明の実施形態について説明したが、本発明の範囲はそれらに限定されるものではなく、本発明の趣旨に逸脱しない範囲において種々の変更が可能である。例えば、上記実施形態において、フィンガーガード５、７５、８２は、空気が矢印Ｆ２の方向に流通する場合に対応した構成であって、矢印Ｆ２が変わる場合はそれに応じて傾斜面５ｃの角度も変更するとよい。また、フィンガーガード５、７５、８２は、開口部を形成するサブパネルや筐体に一体的に設けられているが、フィンガーガード５、７５、８２をそれらの部品とは別部品として構成してもよい。また、ファンモータのインペラ形状は、他の形状のものであっても良い。さらに、電子又は電気機器は、上記以外にコンピュータゲーム機、プリンタ等のその筐体内部にフィンガーガードと共にファンモータが配置される多岐に渡る用途に適用できる。
【図面の簡単な説明】
【００４８】
【図１】本発明の第１実施形態の電子又は電気機器を示す平面図である。
【図２】図１の要部断面図である。
【図３】図２の要部断面図である。
【図４】図２の要部平面図である。
【図５】（Ａ）は第１実施形態の変形例を示す要部断面図であり、（Ｂ）は第１実施形態の別の変形例を示す要部断面図である。
【図６】本発明の第２実施形態の電子又は電気機器を示す要部断面図である。
【図７】本発明の第３実施形態の電子又は電気機器を示す要部断面図である。
【図８】図７の要部平面図である。
【図９】第１〜３実施形態の実験結果を示す測定データを示すグラフである。
【図１０】本発明の第４実施形態のファンモータを示す断面図である。
【図１１】本発明の第５実施形態の電子又は電気機器を示す要部断面図である。
【図１２】第５実施形態の変形例を示す要部平面図である。
【図１３】（Ａ）および（Ｂ）は、公知のフィンガーガードを示す平面図である。
【符号の説明】
【００４９】
２  筐体
４  サブパネル
５、７５、８２、９１  フィンガーガード
５ａ  底辺面
５ｂ  側面
５ｃ  傾斜面
１０  ファンモータ
１４  電機子
１７  インペラ
１９  ロータマグネット
５１、９２  第１リブ群
５２、９３  第２リブ群
９４  第３リブ群
９５  第５リブ群
５１ａ〜５１ｆ、５２ａ〜５２ｃ、９２ａ〜９２ｄ、９３ａ〜９３ｆ、９４ａ〜９４ｆ、９５ａ〜９５ｌ  リブ
【図１】
2004183649.tif 000003
【図２】
2004183649.tif 000004
【図３】
2004183649.tif 000005
【図４】
2004183649.tif 000006
【図５】
2004183649.tif 000007
【図６】
2004183649.tif 000008
【図７】
2004183649.tif 000009
【図８】
2004183649.tif 000010
【図９】
2004183649.tif 000011
【図１０】
2004183649.tif 000012
【図１１】
2004183649.tif 000013
【図１２】
2004183649.tif 000014
【図１３】
2004183649.tif 000015